(57)【要約】【課題】本発明の課題は、液晶パネルのように所定の周波数で駆動する共通電極を有するパネル、及び、タッチパネルのように前記パネルと一定隙間をもって配される平板状部材を備える表示装置において発生する音鳴りを防止することにある。【課題手段】本発明は、所定の周波数で変化する電圧が印加される共通電極層を有するパネル、及び、該パネルと所定の隙間をもって配される平板状部材を備える表示装置であって、共通電極層に印加される電圧の変化に同期して電圧が変化する音鳴り改善信号が印加されるとともに、電極層、音鳴り改善信号生成部、スイッチ手段９０、第１の信号線、及び、第２の信号線とを備え、スイッチ手段９０は、音鳴り改善信号生成部と前記電極層との電気的接続を導通状態とした際に、正電源に接続される第１のトランジスタと、負電源に接続される第２のトランジスタとを備えている点にある。【選択図】図２
2006301506.tif 000002
【特許請求の範囲】
【請求項１】
所定の周波数で変化する電圧が印加される共通電極層を有するパネル、および、該パネルと所定の隙間をもって配置される平板状部材を備える表示装置であって、
前記共通電極層に印加される電圧の変化に同期して電圧が変化する音鳴り改善信号が印加されるとともに、前記平板状部材および前記パネルに対して略平行となるように配置される電極層、
該電極層に印加する前記音鳴り改善信号を生成する音鳴り改善信号生成部、
該音鳴り改善信号生成部と前記電極層との電気的接続を導通状態と切断状態とに切り替えるスイッチ手段、
該スイッチ手段と前記音鳴り改善信号生成部とを電気的に接続する第１の信号線、
及び、前記スイッチ手段と前記電極層とを電気的に接続する第２の信号線とを備え、
前記スイッチ手段は、音鳴り改善信号生成部と前記電極層との電気的接続を導通状態とした際に、音鳴り改善信号のプラス成分を第２の信号線へ供給すべく正電源に接続される第１のトランジスタと、音鳴り改善信号のマイナス成分を第２の信号線へ供給すべく負電源に接続される第２のトランジスタとを備えていることを特徴とする表示装置。
【請求項２】
所定の周波数で変化する電圧が印加される共通電極層を有するパネル、および、該パネルと所定の隙間をもって配置される平板状部材を備える表示装置であって、
前記共通電極層に所定の周波数で変化する電圧が印加されることにより発生する電界の変化の周期を変える電界を発生するように電圧が変化する音鳴り改善信号が印加されるとともに、前記平板状部材および前記パネルに対して略平行となるように配置される電極層、
該電極層に印加する前記音鳴り改善信号を生成する音鳴り改善信号生成部、
該音鳴り改善信号生成部と前記電極層との電気的接続を導通状態と切断状態とに切り替えるスイッチ手段、
該スイッチ手段と前記音鳴り改善信号生成部とを電気的に接続する第１の信号線、
及び、前記スイッチ手段と前記電極層とを電気的に接続する第２の信号線とを備え、
前記スイッチ手段は、音鳴り改善信号生成部と前記電極層との電気的接続を導通状態とした際に、音鳴り改善信号のプラス成分を第２の信号線へ供給すべく正電源に接続される第１のトランジスタと、音鳴り改善信号のマイナス成分を第２の信号線へ供給すべく負電源に接続される第２のトランジスタとを備えていることを特徴とする表示装置。
【請求項３】
請求項１又は２記載の表示装置であって、
第１の電極層、及び、該第１の電極層よりも前記パネルの表示面側において該第１の電極層に対向するように配置される第２の電極層を含むタッチパネルとをさらに備え、
前記電極層は、前記第１の電極層または前記第２の電極層の少なくとも一方であることを特徴とする表示装置。
【請求項４】
請求項３記載の表示装置であって、
前記タッチパネルにユーザが触れることにより、前記第１の電極層と前記第２の電極層との間に生じる電気的変化を検出して、当該ユーザが触れた位置を検出するタッチパネルコントローラ、及び、該タッチパネルコントローラと前記スイッチ手段とを電気的に接続する第３の信号線をさらに備え、
前記スイッチ手段は、該タッチパネルコントローラと前記音鳴り改善信号が印加される電極層との電気的接続を導通状態と切断状態とに切り替えるタッチパネルコントローラスイッチ部を備え、
該スイッチ手段は、前記タッチパネルにユーザが触れることにより前記第１の電極層と前記第２の電極層との間に生じる電気的変化を検出した際に、前記第１のトランジスタと第２のトランジスタとが、前記第１の信号線と第２の信号線との電気的接続を切断状態とするとともに、タッチパネルコントローラスイッチ部が、第２の信号線と第３の信号線との電気的接続を導通状態とするように設けられていることを特徴とする表示装置。
【請求項５】
請求項４記載の表示装置であって、
前記スイッチ手段は、前記第１のトランジスタと第２のトランジスタとタッチパネルコントローラスイッチ部とに送信する切替信号を生成する切替信号生成部を有し、
該切替信号生成部は、前記第１の電極層および／または前記第２の電極層に接続されており、前記タッチパネルにユーザが触れることにより生じる前記第１の電極層と前記第２の電極層との間に生じる電気的変化に基づいて、前記切替信号を生成するように設けられていることを特徴とする表示装置。
【請求項６】
請求項４または５記載の表示装置であって、
前記スイッチ手段は、タッチパネルにユーザが触れることによる前記第１の電極層と前記第２の電極層との間に生じる電気的変化を所定の時間検出しない場合に、前記第１のトランジスタと第２のトランジスタとが、前記第１の信号線と第２の信号線との電気的接続を導通状態とするとともに、前記タッチパネルコントローラスイッチ部が、第２の信号線と第３の信号線との電気的接続を切断状態とするように設けられていることを特徴とする表示装置。
【請求項７】
請求項６記載の表示装置であって、
前記スイッチ手段は、前記第１のトランジスタと第２のトランジスタとタッチパネルコントローラスイッチ部とに送信する切替信号を生成する切替信号生成部を有し、
該切替信号生成部は、
所定の時間ごとに、前記第１のトランジスタと第２のトランジスタとが前記第１の信号線と第２の信号線との電気的接続を導通状態とするとともに、タッチパネルコントローラスイッチ部が第２の信号線と第３の信号線との電気的接続を導通状態とする切替信号を生成するように設けられており、
且つ、前記第１の電極層および／または前記第２の電極層に接続されており、前記タッチパネルにユーザが触れることにより生じる前記第１の電極層と前記第２の電極層との間に生じる電気的変化に基づいて、前記第１のトランジスタと第２のトランジスタとが前記第１の信号線と第２の信号線との電気的接続を切断状態とするとともに、タッチパネルコントローラスイッチ部が第２の信号線と第３の信号線との電気的接続を導通状態とする切替信号を生成するように設けられていることを特徴とする表示装置。
【発明の詳細な説明】
【技術分野】
【０００１】
本発明は、表示装置に関し、より詳しくは、たとえばタッチパネルなどを、液晶パネルと所定の隙間をもって対向させた液晶表示装置に適したものである。
【背景技術】
【０００２】
ライン反転駆動を行う液晶表示装置において、例えば液晶パネルの表示面側にタッチパネルが設置された表示装置の場合、人に不快感を与えるような音鳴りが発生するという問題を有していた。この問題点に本発明者は着目し、鋭意検討した結果、その原因は、以下のものと考えられた。つまり、液晶パネルの表面（偏光板の表面）、および、液晶パネルに対向するタッチパネルの裏面が何らかの理由で帯電し、これに液晶パネルの電極により発生する電界により振動することに起因するものと考えられる。
【０００３】
その原理について以下図面を例にとり詳細に説明する。たとえば、図１４に示すようなタッチパネル１の裏面の任意の点ａおよびこの点ａに対向する液晶パネル２の表面の点ｂに着目し、タッチパネル１の点ａに帯電している電荷をｑａ、パネル２の点ｂに帯電している電荷をｑｂとすると、これらの電荷ｑａ、ｑｂにそれぞれ働く力各Ｆａ、Ｆｂは次式より求められる。（なお、説明上においては、力の成分（および電界の成分）として、液晶パネルとタッチパネルとの積層方向のみの成分を考慮することとする。）
Ｆａ＝ｑａ×Ｅａ
Ｆｂ＝ｑｂ×Ｅｂ
なお、Ｅａは、ａ点の電界強度であり、Ｅｂは、ｂ点の電界強度である。
【０００４】
ここで、a点の電界強度Ｅａは次式により求められる。（なお、この電界強度は、厳密にはタッチパネルの上下電極及び液晶パネルの画素電極もしくはセグメント電極に印加されている信号による電界成分もあるが、それらは音鳴りの原因となるような一定周波数での変動はない場合がほとんどであるためここではあえて省略している。）
Ｅａ＝Ｅｃｏｍａ（ｔ）＋Ｅｑａ＋Ｅｑｂ
なお、Ｅｃｏｍａ（ｔ）は、ａ点での電界成分のうち液晶パネル（対向電極）駆動によるもの（時間の関数）であり、Ｅｑａは、ａ点での電界成分のうち電荷ｑａによるものであり、Ｅｑｂは、ｂ点での電界成分のうち電荷ｑｂによるものである。
【０００５】
ここで、Ｅｃｏｍａ（ｔ）は、対向電極に印加される対向電極信号（以下、ＣＯＭ信号という）により発生する電界であるが、このＣＯＭ信号は駆動周波数で電位が変わるため、Ｅａの値は一定ではなく駆動周波数成分で変動することになり、このためＦａも前記駆動周波数で変動することになる。これについては、パネルの点ｂに作用する力Ｆｂについても同様である。
【０００６】
さらに、タッチパネルの裏面全体について考察すると、タッチパネル裏面の電荷総量をＱｔｐとするとそのＱｔｐすなわちタッチパネル裏面の面全体に働く力Ｆｔｐも同じく変動すると考えられる。同様に、パネル表面全体の電荷総量をＱｌｃとした場合にパネル表面全体に働く力Ｆｌｃも変動すると考えられる。
つまり、ＥａやＥｂが一定であれば、Ｑｔｐ、Ｑｌｃに働く力が一定であるためパネルやタッチパネルの振動は発生しないものの、ＥａやＥｂが上記の通り駆動周波数で変動するため、パネル表面もしくはタッチパネル裏面が駆動周波数と同じ周波数で振動し、パネルとタッチパネル間の空間を震わせ、音鳴りが発生すると考えられる。
【０００７】
このような音鳴りを低減、削減する方法としては、以下の方法が考えられる。
【０００８】
まず、音鳴りの原因となる液晶パネルの駆動周波数を、高くする、もしくは低くして人間の可聴周波数範囲から外す、もしくは、聞こえにくくする方法である。しかるに、駆動周波数を高くした場合には、消費電力の増加につながり、また液晶表示装置の場合、駆動周波数をあげると液晶への充電時間が短くなるため、充電不足によるコントラスト低下や、クロストークの発生等の問題が生じる。また、駆動周波数を低くする場合は、フリッカの発生の問題が存在する。
【０００９】
また、駆動信号をＤＣ駆動としてパネル面のクーロン力の変動成分自体が発生しないようにする方法も考えられる。しかるに、駆動信号をＤＣ駆動とするためには、その分ソースの出力電圧が高くなるため、ソースドライバに高耐圧品を使用する必要があり、それによる消費電力増加の問題も発生する。
【００１０】
さらに、液晶パネルの表面にタッチパネルの表面を糊等で密着させることにより、液晶パネルとタッチパネルとの間の空気層をなくして、空気層の振動をなくすことにより、音鳴りを防止する方法も考えられる。しかしながら、タッチパネルなどを直接パネル表面に貼付ける場合には、接着面での剥れによる表示品位問題や、貼付け作業が困難であるという問題がある。
【００１１】
また、パネル表面及びタッチパネルの裏面の帯電を可能な限り抑え、クーロン力による振動が発生しないようにする方法も考えられる。しかるに、帯電を防止するためには、除電ブロワー等で帯電量の管理を行いながら除電作業を実施する必要があり、除電作業に費やす時間による生産性の低下および、帯電量を管理するための設備投資の問題がある。
【００１２】
さらに、パネルとそれに対面するタッチパネルとの距離を離し、クーロン力を小さくして振動の発生を抑える、あるいは、たとえ振動しても空気の振動による音鳴りが聞こえないレベルにする方法も考えられる。しかるに、このように距離を離すためには表示装置の厚み方向の寸法を大きくしなければならない問題がある。
【００１３】
なお、タッチパネル（抵抗膜タブレット装置）周囲のノイズによる位置検出精度への影響を解決するものとして、特許文献１所載のものが公知である。この特許文献１には、タッチパネルの外側面に透明電極層を形成し、その透明電極層を接地することが開示されている。なお、かかる特許文献１所載のものにあっては、タッチパネルの裏面（透明電極層を形成した面）においては帯電が抑えられるため、このタッチパネルの裏面の振動による音鳴りに対して有効であるとも考えられる。しかしながら、透明電極の裏面にさらに他の部材を追加したような場合には、かかる部材での帯電により既述のような音鳴りの発生が生ずるものと考えられる。
【００１４】
なお、特許文献２所載のように、液晶パネルとバックライトとの隙間部分に配置した光学シートの振動を防止するために、液晶パネルとバックライトとの隙間部分またはバックライトの裏面側に透明電極シートを配置させて、この透明電極シートに液晶パネルの駆動周波数を逆位相で同期して変化する電圧を印加するものが公知である。この特許文献２所載のものにあっては、透明電極シートに供給される電圧によって、液晶パネルの共通電極層の周期的な電位の変化に基づいて発生する光学シートにおける電界の周期的な変動を少なくでき、このため光学シートの振動を防止することに一定の効果は期待できるものと考えられる。しかるに、このような透明シートは、液晶パネルの裏面側に配置されるものであり、既述のような液晶パネルの表示面側に位置するタッチパネルにおける音鳴り現象防止の効果は乏しいものと考えられる。また、この透明電極シートをバックライトと液晶パネルとの隙間に配置した場合には、この透明電極シートとバックライトとの間の空気層の存在により光の利用効率が低下する問題が存在する。
【００１５】
また、本発明者らは、タッチパネルと液晶パネルとを有する液晶表示装置における音鳴り現象の問題に鑑みて、特願２００３−４００３８５号のように、液晶パネルの共通電極層の駆動信号に基づき発生する周期的な電界の周期を変えるような電界を発生するような音鳴り改善信号をタッチパネルの電極層に印加する手段を提案している。
【００１６】
この液晶表示装置のタッチパネルは、所定の隙間を持って対向する一対の電極層と、タッチパネルにユーザが触れることにより前記一対の電極層の間に生じる電気的変化を検出してユーザが触れた位置を検出するタッチパネルコントローラとを備えている。そして、このタッチパネルの一対の電極層のうち少なくとも一方の電極層に前記音鳴り改善信号を印加させている。ここで、該液晶表示装置は、前記音鳴り改善信号を生成する音鳴り改善信号生成部、該音鳴り改善信号生成部と前記電極層との電気的接続を導通状態と切断状態とに切り替えるスイッチ手段、該スイッチ手段と前記音鳴り改善信号生成部とを電気的に接続する第１の信号線、前記スイッチ手段と前記電極層とを電気的に接続する第２の信号線、および、前記スイッチ手段とタッチパネルコントローラとを電気的に接続する第３の信号線とを備えている。そして、スイッチ手段が、第１の信号線と第２の信号線とを導通状態とし且つ第２の信号線と第３の信号線とを切断状態とすることにより、音鳴り改善信号生成部により生成された音鳴り改善信号がタッチパネルに供給され、また、第１の信号線と第２の信号線とを切断状態とし且つ第２の信号線と第３の信号線とを導通状態とすることにより、ユーザが触れた位置をタッチパネルコントローラが検出することができるものである。また、このようなスイッチ手段による導通状態および切断状態の切替は、切替信号生成部によって生成される切替信号に基づいてなされている。
【００１７】
ここで、前記スイッチ手段としては、図１５に示すように、第１の信号線１０１（音鳴り改善信号発生回路８１）と第２の信号線１０２（タッチパネル１）とを導通状態および切断状態に切り替えるべく、第１の信号線１０１および第２の信号線１０２にそれぞれ並列に電気的に接続されるＰチャンネルＭＯＳトランジスタ９２ａ（以下、「ＰＭＯＳ」という）とＮチャンネルＭＯＳトランジスタ９２ｂ（以下、「ＮＭＯＳ」という）とを採用する手段が考えられる。つまり、ＰＭＯＳ９２ａおよびＮＭＯＳ９２ｂのソース電極を前記第１の信号線１０１に接続し、ＰＭＯＳ９２ａおよびＮＭＯＳ９２ｂのドレイン電極を前記第２の信号線１０２に接続し、ＰＭＯＳ９２ａまたはＮＭＯＳ９２ｂの何れか一方のゲート電極を前記切替信号生成部９４に接続するとともに他方のゲート電極をＮＯＴゲートを介して前記切替信号生成部９４に接続する。
【００１８】
しかるに、前記のようなＰＭＯＳ９２ａおよびＮＭＯＳ９２ｂを採用した際に、図１５に示すように、ＰＭＯＳ９２ａを正電源に、ＮＭＯＳ９２ｂをアースした場合には、音鳴り改善信号生成部８１と前記タッチパネル１の電極層との電気的接続を導通状態とした際に、音鳴り改善信号のプラス成分は第２の信号線１０２を介してタッチパネル１の電極層に供給されるものの、音鳴り改善信号のマイナス成分はタッチパネル１の電極層に供給されないことになる。つまり、音鳴り改善信号のうちマイナス成分が削除されてしまった信号がタッチパネル１の電極層に伝わり、音鳴り改善の効果が十分に得られない。
【特許文献１】実開平７−２０６２３号
【特許文献２】特開２００４−１８４８８５号
【発明の開示】
【発明が解決しようとする課題】
【００１９】
そこで、本発明は、液晶パネルのように所定の周波数で駆動する共通電極を有するパネル、および、タッチパネルのように前記パネルと一定隙間をもって配置される平板状部材を備える表示装置において発生する音鳴りをより確実に防止することを課題とする。
【課題を解決するための手段】
【００２０】
本発明は上記課題を解決すべくなされたものであり、本発明に係る表示装置は、所定の周波数で変化する電圧が印加される共通電極層を有するパネル、および、該パネルと所定の隙間をもって配置される平板状部材を備える表示装置であって、前記共通電極層に印加される電圧の変化に同期して電圧が変化する音鳴り改善信号が印加されるとともに、前記平板状部材および前記パネルに対して略平行となるように配置される電極層、該電極層に印加する前記音鳴り改善信号を生成する音鳴り改善信号生成部、該音鳴り改善信号生成部と前記電極層との電気的接続を導通状態と切断状態とに切り替えるスイッチ手段、該スイッチ手段と前記音鳴り改善信号生成部とを電気的に接続する第１の信号線、及び、前記スイッチ手段と前記電極層とを電気的に接続する第２の信号線とを備え、前記スイッチ手段は、音鳴り改善信号生成部と前記電極層との電気的接続を導通状態とした際に、音鳴り改善信号のプラス成分を第２の信号線へ供給すべく正電源に接続される第１のトランジスタと、音鳴り改善信号のマイナス成分を第２の信号線へ供給すべく負電源に接続される第２のトランジスタとを備えていることを特徴とする。
【００２１】
また、本発明に係る表示装置は、所定の周波数で変化する電圧が印加される共通電極層を有するパネル、および、該パネルと所定の隙間をもって配置される平板状部材を備える表示装置であって、前記共通電極層に所定の周波数で変化する電圧が印加されることにより発生する電界の変化の周期を変える電界を発生するように電圧が変化する音鳴り改善信号が印加されるとともに、前記平板状部材および前記パネルに対して略平行となるように配置される電極層、該電極層に印加する前記音鳴り改善信号を生成する音鳴り改善信号生成部、該音鳴り改善信号生成部と前記電極層との電気的接続を導通状態と切断状態とに切り替えるスイッチ手段、該スイッチ手段と前記音鳴り改善信号生成部とを電気的に接続する第１の信号線、及び、前記スイッチ手段と前記電極層とを電気的に接続する第２の信号線とを備え、前記スイッチ手段は、音鳴り改善信号生成部と前記電極層との電気的接続を導通状態とした際に、音鳴り改善信号のプラス成分を第２の信号線へ供給すべく正電源に接続される第１のトランジスタと、音鳴り改善信号のマイナス成分を第２の信号線へ供給すべく負電源に接続される第２のトランジスタとを備えていることを特徴とする。
【００２２】
上記構成からなる本発明に係る表示装置にあっては、パネルの共通電極層に基づいて発生する電界を、音鳴り改善信号が印加される電極層によって発生する電界によって打ち消すことができる。このため、たとえば平板状部材およびパネルがそれぞれ対向する面が帯電している場合にあっても、この帯電した平板状部材およびパネルの面のクーロン力を抑制することができるので、パネルおよび平板状部材の振動を抑制でき、音鳴りの現象を回避することが可能となる。
特に、前記スイッチ手段は前記のように正電源に接続される第１のトランジスタおよび負電源に接続される第２のトランジスタとを備えているため、音鳴り改善信号生成部と前記電極層との電気的接続を導通状態とした際、音鳴り改善信号のプラス成分およびマイナス成分を電極層に供給することができるため、音鳴り改善の効果がより確実に発揮される。
【００２３】
なお、本発明に係る表示装置は、平板状部材が、前記パネルの表示面側に、前記パネルと所定の隙間をもって配置されているものに好適に用いることができる。つまり、パネルの表示面側において既述の音鳴りが発生した場合には、裏面側において音鳴りが発生する場合に比して、ユーザに不快感を与えることが顕著なためである。
【００２４】
特に、第１の電極層、及び、該第１の電極層よりも前記パネルの表示面側において該第１の電極層に対向するように配置される第２の電極層を含むタッチパネルとをさらに備える表示装置にあっては、前記電極層が、前記第１の電極層または前記第２の電極層の少なくとも一方である構成を採用することが好ましい。
【００２５】
これにより、従来のタッチパネルが有する第１の電極層または第２の電極層に音鳴り改善信号を印加する電極層として用いることにより、従来用いられているタッチパネルをそのまま利用し、第１の電極層または第２の電極層の電気的制御を変更するのみで本発明に係る表示装置を得ることができる。
【００２６】
また、上記のようなタッチパネルを備える構成を採用した場合には、タッチパネルにユーザが触れることにより、前記第１の電極層と前記第２の電極層との間に生じる電気的変化を検出して、当該ユーザが触れた位置を検出するタッチパネルコントローラ、及び、該タッチパネルコントローラと前記スイッチ手段とを電気的に接続する第３の信号線をさらに備え、前記スイッチ手段が、該タッチパネルコントローラと前記音鳴り改善信号が印加される電極層との電気的接続を導通状態と切断状態とに切り替えるタッチパネルコントローラスイッチ部を備え、該スイッチ手段が、前記タッチパネルにユーザが触れることにより前記第１の電極層と前記第２の電極層との間に生じる電気的変化を検出した際に、前記第１のトランジスタと第２のトランジスタとが、前記第１の信号線と第２の信号線との電気的接続を切断状態とするとともに、タッチパネルコントローラスイッチ部が、第２の信号線と第３の信号線との電気的接続を導通状態とするように設けられていることが好ましい。
【００２７】
これにより、タッチパネルをユーザが触れることにより、電極層が、スイッチ手段によって、音鳴り改善信号生成部との切断状態で且つタッチパネルコントローラとの導通状態となり、ユーザが触れた位置をタッチパネルコントローラが検出することができる。
【００２８】
さらに、上記のようなタッチパネルコントローラを備える構成を採用した場合には、スイッチ手段が、前記第１のトランジスタと第２のトランジスタとタッチパネルコントローラスイッチ部とに送信する切替信号を生成する切替信号生成部を有し、該切替信号生成部が、前記第１の電極層および／または前記第２の電極層に接続されており、前記タッチパネルにユーザが触れることにより生じる前記第１の電極層と前記第２の電極層との間に生じる電気的変化に基づいて、前記切替信号を生成するように設けられていることが好ましい。
【００２９】
これにより、タッチパネルをユーザが触れることにより、タッチパネルの第１の電極層と前記第２の電極層との間に生じる電気的変化に基づいて前記切替信号生成部が切替信号を生成し、この切替信号がスイッチ手段の第１のトランジスタと第２のトランジスタとタッチパネルコントローラスイッチ部に送信されることにより、タッチパネルの電極層が、音鳴り改善信号生成部との切断状態で且つタッチパネルコントローラとの導通状態となり、ユーザが触れた位置をタッチパネルコントローラが検出することができる。
【００３０】
また、上記のようなタッチパネルコントローラを備える構成を採用した場合には、スイッチ手段が、タッチパネルにユーザが触れることによる前記第１の電極層と前記第２の電極層との間に生じる電気的変化を所定の時間検出しない場合に、第１のトランジスタと第２のトランジスタとが、前記第１の信号線と第２の信号線との電気的接続を導通状態とするとともに、前記タッチパネルコントローラスイッチ部が、第２の信号線と第３の信号線との電気的接続を切断状態とするように設けられていることが好ましい。
【００３１】
これにより、タッチパネルをユーザが触れることがなく、すなわち、タッチパネルの不使用状態において、電極層が、スイッチ手段によって、音鳴り改善信号生成部との導通状態で且つタッチパネルコントローラとの切断状態となり、前記音鳴り改善信号生成部からの音鳴り改善信号が前記電極層に供給され、音鳴り防止を行うことができる。
【００３２】
このようにタッチパネルの不使用状態において電極層と音鳴り改善信号生成部とを導通状態とする構成を採用した場合には、前記スイッチ手段が、前記第１のトランジスタと第２のトランジスタとタッチパネルコントローラスイッチ部とに送信する切替信号を生成する切替信号生成部を有し、該切替信号生成部が、所定の時間ごとに、前記第１のトランジスタと第２のトランジスタとが前記第１の信号線と第２の信号線との電気的接続を導通状態とするとともに、タッチパネルコントローラスイッチ部が第２の信号線と第３の信号線との電気的接続を導通状態とする切替信号を生成するように設けられており、且つ、前記第１の電極層および／または前記第２の電極層に接続されており、前記タッチパネルにユーザが触れることにより生じる前記第１の電極層と前記第２の電極層との間に生じる電気的変化に基づいて、前記第１のトランジスタと第２のトランジスタとが前記第１の信号線と第２の信号線との電気的接続を切断状態とするとともに、タッチパネルコントローラスイッチ部が第２の信号線と第３の信号線との電気的接続を導通状態とする切替信号を生成するように設けられていることが好ましい。
【００３３】
これにより、タッチパネルをユーザが触れることにより、タッチパネルの第１の電極層と前記第２の電極層との間に生じる電気的変化に基づいて前記切替信号生成部が、音鳴り改善信号生成部と電極層との切断状態且つ電極層とタッチパネルコントローラとの導通状態とするような切替信号を生成し、この切替信号がスイッチ手段の第１のトランジスタと第２のトランジスタとタッチパネルコントローラスイッチ部に送信されることにより、タッチパネルの電極層が、音鳴り改善信号生成部との切断状態で且つタッチパネルコントローラとの導通状態となり、ユーザが触れた位置をタッチパネルコントローラが検出することができる。
また、所定の時間経過すると、該切替信号生成部によって第１の信号線と第２の信号線との電気的接続を導通状態とするとともに第２の信号線と第３の信号線との電気的接続を導通状態とする切替信号が生成されるため、音鳴り改善信号生成部との導通状態で且つタッチパネルコントローラとの切断状態とり、前記音鳴り改善信号生成部からの音鳴り改善信号が前記電極層に供給され、音鳴り防止を行うことができる。
【発明を実施するための最良の形態】
【００３４】
以下、本発明の実施例に係る液晶表示装置の実施例について図面を参酌しつつ説明する。
なお、図１は、本実施例の液晶表示装置の概略的断面図を示す。図２は、同実施例の液晶表示装置を概略的に説明するための概略的斜視図である。図３は、同実施例の液晶表示装置において各電極層に印加する電圧と平板状部材における電界との関係を説明するための模式的説明図であり、（ａ）は液晶パネルの対向電極層（共通電極層）に印加する電圧（縦軸）と時間（横軸）との関係、（ｂ）はタッチパネルの裏面側電極層に印加する電圧（縦軸）と時間（横軸）との関係、（ｃ）は平板状部材における電界（縦軸）と時間（横軸）との関係を示す。図４は、同実施例の液晶表示装置における概略的ブロック図であり、図５は、同実施例の液晶表示装置における切替制御部の詳細を説明するための概略的ブロック図であり、図６は、同実施例の液晶表示装置における音鳴り改善信号スイッチ部の詳細を説明するための概略的ブロック図である。また、図７は、同実施例の液晶表示装置における切替信号生成部の詳細を説明するための概略的ブロック図である。図８は、同実施例の液晶表示装置において用いられるアナログスイッチの概略的ブロック図であり、図９は、同アナログスイッチを用いた場合の回路全体の簡略図である。図１０は、同実施例の液晶表示装置のスイッチ手段のブロック図である。図１１は、同実施例の液晶表示装置の概略的断面図を示す。図１２は、本発明の他の実施例の液晶表示装置を概略的に説明するための概略的斜視図である。図１３は、同実施例の液晶表示装置において各電極層に印加する電圧と平板状部材における電界との関係を説明するための模式的説明図であり、（ａ）は液晶パネルの対向電極層（共通電極層）に印加する電圧（縦軸）と時間（横軸）との関係、（ｂ）はタッチパネルの裏面側電極層に印加する電圧（縦軸）と時間（横軸）との関係、（ｃ）は平板状部材における電界（縦軸）と時間（横軸）との関係を示す。
【００３５】
本実施例の液晶表示装置は、液晶パネル２の表面（表示面側の面）にタッチパネル１を所定の隙間をもって配置してなるものである。
【００３６】
本実施例において液晶パネル２は、従前公知のものと同様のものが用いられる。つまり、該液晶パネル２は、図１に示すように、第１の透明基板２６と、当該第１の透明基板２６よりも表示面側に配置される第２の透明基板２２とを含み、この一対の透明基板２２，２６の間に液晶２４が封入されている。なお、前記第一の透明基板２６を「裏面側基板」と、前記第２の透明基板２２を「表面側基板」と以下称することがある。
【００３７】
前記表面側基板２２および裏面側基板２６には、それぞれ電極層２３，２５（画素電極層および対向電極層（共通電極層））が積層して形成されている。また、該液晶パネル２は、表面側基板２２の表面（表示面側の面）、および、裏面側基板２２の裏面（表示面の反対側の面）に、それぞれ接着された偏光板２１，２７を備えている。また、前記対向電極層２３には、所定の周波数で電圧が変化する共通電極信号が印加されている。また、本実施例の表示装置は、該対向電極層２３に共通電極信号を印加するための共通電極信号発生回路８１を備えている。（図４参照）
【００３８】
また、本実施例において、タッチパネル１は、従前公知のものと同様の構造のものが用いられる。つまり、該タッチパネル１は、図１に示すように、第１のシート材１４、この第１のシート材１４の表面に積層して形成された第１の電極層１３、この第１の電極層１３に所定の隙間をもって対向するように配置された第２の電極層１２、および、この第２の電極層１２が裏面に積層して形成される第２のシート材１１を含んでいる。なお、前記第１のシート材１４を「裏面側シート材」と、第１の電極層１３を「裏面側電極層」と、第２の電極層１２を「表面側電極層」と、前記第２のシート材１１を「表面側基板」と以下称することがある。
【００３９】
前記一対のシート材１１，１４のうち少なくとも表面側シート材１１は、可撓性を有する部材から構成されており、ユーザがタッチパネル１を触れることにより表面側シート材１１が裏面側に撓み、そのユーザが触れた箇所において一対の電極層１２，１３が互いに接触するように設けられている。また、タッチパネル１は、裏面側シート材１４の裏面に配置された透明板材１５を備えている。つまり、本実施例においては、前記液晶パネル２の表面側の偏光板２１と、タッチパネル１の透明板材１５とが所定の隙間をもって対向するように配置されている。
【００４０】
本実施例の表示装置は、タッチパネル１の裏面側電極層１３に、共通電極信号の電圧の変化に同期して変化する電圧（音鳴り改善信号）が印加できるように設けられている。ここで、該裏面側電極層１３には、スイッチ手段９０を介して前記共通電極信号発生回路８１により音鳴り改善信号が印加されており、この音鳴り改善信号は、共通電極信号の電圧の変化と同位相で、共通電極信号の電圧と同一の電圧レベルの電圧とされている（図３参照）。なお、本発明にあっては、前記共通電極信号発生回路８１によって音鳴り改善信号生成部が構成されているが、別途音鳴り改善信号発生回路を設けることも可能である。また、上記音鳴り改善信号を、表面側電極層１２に印加することも可能であり、さらには、表面側電極層１２および裏面側電極層１３の双方に所望の電圧を印加することも本発明の意図する範囲内である。
【００４１】
また、本実施例の表示装置は、前述のようにタッチパネル１にユーザが触れた際に接触するタッチパネル１の一対の電極層１２，１３間に生じる電気的変化を検出して、当該ユーザが触れた位置を検出するタッチパネルコントローラ８２を備えている（図４参照）。なお、該タッチパネルコントローラ８２は、前記スイッチ手段９０を介して、前記タッチパネル１の一対の電極層１２，１３と電気的に接続されている。
【００４２】
また、前記スイッチ手段９０は、共通電極信号発生回路８１とタッチパネル１の裏面側電極層１３との電気的接続を導通状態と切断状態とに切り替えるとともにタッチパネルコントローラ８２とタッチパネル１の裏面側電極層１３との電気的接続を導通状態と切断状態とに切り替える切替制御部９１と、該切替制御部９１に供給するための切替信号を生成する切替信号生成部９４とを備えている。
【００４３】
また、前記共通電極信号発生回路８１は、前記スイッチ手段９０の切替制御部９１と第１の信号線１０１によって接続されており、前記タッチパネル１の裏面側電極層１３は、前記スイッチ手段９０の切替制御部９１と第２の信号線１０２によって接続され、前記タッチパネルコントローラ８２は、前記スイッチ手段９０の切替制御部９１と第３の信号線１０３によって接続されており、切替制御部９１は、切替信号生成部９１からの切替信号によって、第２の信号線１０２が、第１の信号線１０１との導通状態且つ第３の信号線１０３との切断状態、あるいは、第２の信号線１０２を第１の信号線１０１との切断状態且つ第３の信号線１０３との導通状態となるような二つの状態を切り替えるように設けられている。
【００４４】
また、切替制御部９１は、図５に示すように、前記共通電極信号発生回路８１とタッチパネル１の裏面側電極層１３との電気的接続を導通状態と切断状態とに切り替える音鳴り改善信号スイッチ部９２、および、タッチパネルコントローラ８２とタッチパネル１の裏面側電極層１３との電気的接続を導通状態と切断状態とに切り替えるタッチパネルコントローラスイッチ部９３とを備えている。
【００４５】
前記音鳴り改善信号スイッチ部９２は、図５に示すように、第１の信号線１０１と第２の信号線１０２とを導通状態および切断状態に切り替えるべく、第１の信号線１０１および第２の信号線１０２にそれぞれ並列に電気的に接続されるＰチャンネルＭＯＳトランジスタ（以下、「ＰＭＯＳ」という）９２ａとＮチャンネルＭＯＳトランジスタ（以下、「ＮＭＯＳ」という）９２ｂとを備えている。ここで、ＰＭＯＳ９２ａおよびＮＭＯＳ９２ｂのソース電極を前記第１の信号線１０１に接続し、ＰＭＯＳ９２ａおよびＮＭＯＳ９２ｂのドレイン電極を前記第２の信号線１０２に接続している。また、ＮＭＯＳ９２ｂのゲート電極を前記切替信号生成部９４に接続し、ＰＭＯＳ９２ａのゲート電極をＮＯＴゲート（図６参照）を介して前記切替信号生成部９４に接続しており、切替信号に応じて、ＰＭＯＳ９２ａおよびＮＭＯＳ９２ｂの双方がともに導通状態となり、また、双方がともに切断状態となるように設けられている。
【００４６】
また、前記音鳴り改善信号スイッチ部９２のＰＭＯＳ９２ａを正電源に、ＮＭＯＳ９２ｂを負電源に接続しており、共通電極信号生成部８１と裏面側電極層１３との電気的接続を導通状態とした際に、共通電極信号のプラス成分がＰＭＯＳ９２ａを介して裏面側電極層１３に供給され、共通電極信号のマイナス成分がＮＭＯＳ９２ｂを介して裏面側電極層１３に供給されるように設けられている（図５および図６参照）。
【００４７】
また、タッチパネルコントローラスイッチ部９３も、第３の信号線１０３および第２の信号線１０２にそれぞれ並列に電気的に接続されるＰＭＯＳ（図示省略）とＮＭＯＳ（図示省略）とを備えている。このタッチパネルコントローラスイッチ部９３のＰＭＯＳおよびＮＭＯＳは上記音鳴り改善信号スイッチ部９２のものと略同様の構成からなるが、ＰＭＯＳのゲート電極をＮＯＴゲートを介して切替信号生成部９４に接続し、ＮＭＯＳのゲート電極を切替信号生成部に接続している。
【００４８】
さらに、前記スイッチ手段９０の切替信号生成部９４は、前記タッチパネル１の表面側電極層１２に接続されており、前記タッチパネル１にユーザが触れることにより、表面側電極層１２に生じる電気的変化を検出した際に、共通電極信号発生回路８１と裏面側電極層１３との電気的接続を切断状態としタッチパネルコントローラ８２と裏面側電極層１３との電気的接続を導通状態とするような切替信号（以下、「ＴＰＣオン信号」ということがある）を生成し、このＴＰＣオン信号を切替制御部９１に供給するように設けられている。
【００４９】
なお、この切替信号生成部９４は、前記切替制御部９１を介して、表面側電極層１２に接続されており、前述のようにタッチパネル１にユーザが触れた際に、生成した前記ＴＰＣオン信号を切替制御部９１に供給すると、前記切替制御部９１は、該切替信号生成部９４と表面側電極層１２との電気的接続を切断状態とし、前記タッチパネルコントローラ８２と表面側電極層１２との電気的接続を導通状態とするように設けられている。
【００５０】
また、切替信号生成部９４は、タッチパネル１にユーザが触れることによるタッチパネル１の電極層１２，１３間に生ずる電気的変化を所定の時間検出しない場合に、共通電極信号発生回路８１と裏面側電極層１３との電気的接続を導通状態としタッチパネルコントローラ８２と裏面側電極層１３との電気的接続を切断状態とするような切替信号（以下、「ＣＯＭオン信号」ということがある）を生成し、このＣＯＭオン信号を切替制御部９１に供給するように設けられている。
【００５１】
また、切替信号生成部９４が、前述のようにＣＯＭオン信号を切替制御部９１に供給すると、前記切替制御部９１は、該切替信号生成部９４と表面側電極層１２との電気的接続を導通状態とし、前記タッチパネルコントローラ８２と表面側電極層１２との電気的接続を切断状態とするように設けられている。
【００５２】
ここで、前記切替信号生成部９４は、図７に示すように、周期的にトリガ信号を発生するトリガ信号発生回路９５に接続されており、トリガ信号を受信するとＣＯＭオン信号を切替信号として送信し、また、トリガ信号がなくタッチパネル１の表面側電極層１２からの信号（位置検出信号）を受信するとＴＰＣオン信号を送信するように設けられている。
【００５３】
なお、この切替制御部９１は、たとえば二つのアナログスイッチにより構成することができ、その構成をより具体的に図８乃至図１０を用いて説明する。図８に示すようなアナログスイッチを用いた場合には、一のアナログスイッチのＸ−ＣＯＭ、Ｙ−ＣＯＭ、Ｚ−ＣＯＭ、および、他のアナログスイッチのＹ−ＣＯＭをそれぞれタッチパネル１の電極層１２，１３に接続している。また、一のアナログスイッチの１Ｘ、１Ｙ、１Ｚ、および、他のアナログスイッチの１Ｙをそれぞれタッチパネルコントローラ８２に接続している。また、一のアナログスイッチの０Ｘ、および、０Ｚをそれぞれ共通電極信号発生回路８１に接続している。また、一のアナログスイッチの０Ｙ、および、他のアナログスイッチの０Ｙをそれぞれ切替信号生成部９４の入力側に接続している。また、アナログスイッチのＡ、Ｂ、および、Ｃを、切替信号生成部９４の出力側に接続している。
【００５４】
また、切替信号生成回路９４からの切替信号がＬＯＷの場合には、Ｘ−ＣＯＭと０Ｘとが、Ｙ−ＣＯＭと０Ｙとが、Ｚ−ＣＯＭと０Ｚとが導通状態となり、一方、切替信号生成回路９４からの切替信号がＨＩＧＨの場合には、Ｘ−ＣＯＭと１Ｘとが、Ｙ−ＣＯＭと１Ｙとが、Ｚ−ＣＯＭと１Ｚとが導通状態となる。
【００５５】
なお、上記構成からなる回路を簡略化して図示すると、図９の通りであり、また、より具体的に表記すると、図１０のような構成となる。図１０に示す例にあっては、アナログスイッチに接続する正電源としては５Ｖ、負電源としては−４Ｖとしている。また、図１０において、ＴＣ４０５３ＢＰと記載しているものがアナログスイッチであり、ＴＣ７４ＨＣ０２Ｐと記載しているものが切替信号生成部９４である。
【００５６】
上記構成からなる本実施例の液晶表示装置にあっては、タッチパネル１の電極層１３の電気的制御を変更するだけで、従前の液晶表示装置と同様の部材により構成することができる。
【００５７】
そして、本実施例の液晶表示装置は、液晶パネル２の対向電極層２３に印加される共通電極信号の電圧に基づいて発生する電界は周期的であるものの、この共通電極信号の電圧の変化の周波数に同期して変化する電圧がタッチパネル１の裏面側電極層１３に印加されることによって、前記共通電極信号の電圧による電界を打ち消すことができ、このため、たとえば液晶パネル２の表面やタッチパネル１の裏面が帯電している場合にあっても、この帯電した電荷に作用するクーロン力を抑制することができるので、液晶パネル２およびタッチパネル１の振動を抑制でき、音鳴りの現象を回避することが可能となる。
特に、本実施例の液晶表示装置は、共通電極信号のプラス成分のみならずマイナス成分もタッチパネルの電極層に供給することができるので、より的確に音鳴りの現象を回避することが可能となる。
【００５８】
なお、この音鳴り現象回避の理論について、以下、図１１を参酌しつつ具体的に説明する。
まず、タッチパネル１の（透明板材１５の）裏面の任意の点ｃ及びそれに対向する液晶パネル２の（偏光板２１の）表面の点ｄに着目し、点ｃに帯電している電荷をｑｃ、点ｄに帯電している電荷をｑｄとすると、ｑｃ、ｑｄに働く力各Ｆｃ、Ｆｄは次式による求めることができる。（なお、説明上においては、力の成分（および電界の成分）として、液晶パネル２とタッチパネル１との積層方向のみの成分を考慮することとする。）
Ｆｃ＝ｑｃ×Ｅｃ
Ｆｄ＝ｑｄ×Ｅｄ
なお、Ｅｃは、ｃ点の電界強度であり、Ｅｄは、ｄ点の電界強度である。
【００５９】
ここで、ｃ点の電界強度Ｅｃは次式により求められる。（なお、この電界強度は、厳密にはタッチパネル１の一対の電極層及び液晶パネル２の画素電極もしくはセグメント電極に印加される信号の電圧による電界成分もあるが、それらは音鳴りの原因となるような一定の周波数での変化はない場合がほとんどであるためここではあえて省略している。）
Ｅｃ＝Ｅｃｏｍｃ(ｔ)+Ｅｑｃ+Ｅｑｄ-Ｅｔｐｄ(ｔ)  …  （１）式
なお、Ｅｃｏｍｃ（ｔ）は、ｃ点での電界成分のうち液晶パネル２（対向電極層２３）駆動によるもので、時間の関数であり、Ｅｑｃは、ｃ点での電界成分のうち電荷ｑｃによるものであり、Ｅｑｄは、ｃ点での電界成分のうち電荷ｑｄによるものであり、Ｅｔｐｃ（ｔ）は、ｃ点での電界成分のうちタッチパネル１の裏面側電極層１３の電圧によるものである。
【００６０】
ここで、タッチパネル１の裏面側電極層１３に電圧を印加しない場合にはＥｔｐｄは０となるため、従来技術と同様に駆動周波数で変化するＣＯＭ信号によりＥｃｏｍｃ（ｔ）は駆動周波数成分で変化し、Ｆｃもこの駆動周波数で変化することになるが、実施例１では、タッチパネル１の裏面側電極層１３に、共通電極信号の電圧の変化と同期する電圧が印加されているので、ｃ点での電界強度Ｅｃが時間的に変化する成分が減少するため、Ｆｃの時間的な変化が減少する。なお、タッチパネル１の透明電極１３に印加する信号振幅（ＡＣ電圧値）のレベルを、タッチパネル１の裏面、対向電極層２３およびタッチパネル１の裏面側電極層１３の位置関係より決定することにより、電界強度Ｅｃの時間的変化をなくすことも可能である。なお、これは、ｄ点の電荷に働く力Ｆｄについても同様に考えられる。
なお、タッチパネル１の（透明板材１５の）裏面の他の点でも同様な電界強度の変化が発生するため、タッチパネル１の（透明板材１５の）裏面の面全体の電荷総量をＱｔｐとするとそのＱｔｐすなわち面全体に働く力Ｆｔｐも同じく変化しにくくなると考えられ、同様に、液晶パネル２の表面全体の電荷総量をＱｌｃとした場合にパネル表面全体に働く力Ｆｌｃも変化しにくくなると考えられる。
【００６１】
このように、タッチパネル１の裏面および液晶パネル２の表面にそれぞれ働く力Ｆｔｐ，Ｆｌｃの時間的な変化を少なくすることができるので、タッチパネル１と液晶パネル２との間の空間の振動がなくなり、音鳴りの現象を回避することができる。
【００６２】
なお、上記実施例では、共通電極信号発生回路８１が発生した共通電極信号をスイッチ手段に供給するものについて説明したが、本発明はこれに限定されず、たとえば、図１２および図１３に示すように、共通電極信号に所定の処理を施して音鳴り改善信号を生成し、当該音鳴り改善信号を前記裏面側電極層１３に印加する音鳴り改善信号発生回路８４を備えたものも本発明の意図する範囲内である。この図示例のものにあっては、音鳴り改善信号発生回路８４は、共通電極信号の周波数の整数倍（たとえば４倍）の周波数で電圧が変化する音鳴り改善信号を生成し、この音鳴り改善信号をタッチパネル１の裏面側電極層１３に印加している。これにより、タッチパネル１の裏面および液晶パネル２の表面における電界強度の変化は一定の周波数の変化ではなくなるため、音鳴りの現象を回避できる。つまり、たとえば対向電極層２３に周期が１０ｋＨｚの電圧を印加している場合において、裏面側電極層に４０ｋＨｚの電圧を印加すると、透明板材１５での電界は、図１５（ｃ）に示すように、一定の周波数での変化が起こらず、しかも、ごく僅かの時間内で電界の変化が平板状部材への振動に関与すると考えられるものの、この電界による振動では可聴領域外（４０ｋＨｚ）となるため、人に認識されない。
【００６３】
また、共通電極層に基づき発生する周期的な電界の周期を変えるような電界を発生するように電圧が印加されるべく電極層に、液晶駆動と同位相で同期した電圧を印加するものや、液晶駆動の周波数の整数倍の周波数の電圧を印加して液晶パネル等の振動が可聴領域外となるように設けたものについて以上説明したが、本発明は必ずしもこれらの方法に限定されるものではない。
【００６４】
また、上記実施例においては、電極層に印加する音鳴り抑制のための所望の電圧を、共通電極信号と電圧レベルが同一の電圧としたが、この音鳴り抑制のための所望の電圧を、共通電極信号の電圧レベルと異なる電圧を印加することも可能である。なお、この場合には、前記音鳴り改善信号発生回路をさらに備えることが好ましい。
【図面の簡単な説明】
【００６５】
【図１】本発明の実施例の液晶表示装置の概略的断面図を示す。
【図２】同実施例の液晶表示装置を概略的に説明するための概略的斜視図である。
【図３】同実施例の液晶表示装置において各電極層に印加する電圧と平板状部材における電界との関係を説明するための模式的説明図であり、（ａ）は液晶パネルの対向電極層（共通電極層）に印加する電圧（縦軸）と時間（横軸）との関係、（ｂ）はタッチパネルの裏面側電極層に印加する電圧（縦軸）と時間（横軸）との関係、（ｃ）は平板状部材における電界（縦軸）と時間（横軸）との関係を示す。
【図４】同実施例の液晶表示装置における概略的ブロック図である。
【図５】同実施例の液晶表示装置における切替制御部の詳細を説明するための概略的ブロック図を示す。
【図６】同実施例の液晶表示装置における音鳴り改善信号スイッチ部の詳細を説明するための概略的ブロック図を示す。
【図７】同実施例の液晶表示装置における切替信号生成部の詳細を説明するための概略的ブロック図である。
【図８】同実施例の液晶表示装置において用いられるアナログスイッチの概略的ブロック図を示す。
【図９】同アナログスイッチを用いた場合の回路全体の簡略図である。
【図１０】同実施例の液晶表示装置のスイッチ手段のブロック図である。
【図１１】同実施例の液晶表示装置の概略的断面図を示す。
【図１２】本発明の他の実施例の液晶表示装置を概略的に説明するための概略的斜視図である。
【図１３】同実施例の液晶表示装置において各電極層に印加する電圧と平板状部材における電界との関係を説明するための模式的説明図であり、（ａ）は液晶パネルの対向電極層（共通電極層）に印加する電圧（縦軸）と時間（横軸）との関係、（ｂ）はタッチパネルの裏面側電極層に印加する電圧（縦軸）と時間（横軸）との関係、（ｃ）は平板状部材における電界（縦軸）と時間（横軸）との関係を示す。
【図１４】従来例の液晶表示装置の概略的断面図を示す（ただし、タッチパネルの詳細な図示は省略している）。
【図１５】比較例である他の液晶表示装置において用いられるアナログスイッチの概略的ブロック図を示す。
【符号の説明】
【００６６】
１      タッチパネル
１１，１４      シート材
１２，１３      透明電極
１５    透明板材
２      液晶パネル
２１，２７      偏光板
２２，２６      基板
２３，２５      電極
８１  共通電極信号発生回路
８２  タッチパネルコントローラ
９０  スイッチ手段
９１  切替制御部
９２  音鳴り信号スイッチ部
９３  タッチパネルコントローラスイッチ部
９４  切替信号生成部
【図４】
2006301506.tif 000003
【図５】
2006301506.tif 000004
【図６】
2006301506.tif 000005
【図７】
2006301506.tif 000006
【図８】
2006301506.tif 000007
【図９】
2006301506.tif 000008
【図１０】
2006301506.tif 000009
【図１】
2006301506.tif 000010
【図２】
2006301506.tif 000011
【図３】
2006301506.tif 000012
【図１１】
2006301506.tif 000013
【図１２】
2006301506.tif 000014
【図１３】
2006301506.tif 000015
【図１４】
2006301506.tif 000016
【図１５】
2006301506.tif 000017